(57)【要約】【課題】既存のバンドパスフィルタを使用して、受信特性に優れた無線受信装置を提供することを目的とする。【解決手段】無線受信装置は、目的信号の受信周波数毎に定められ、目的信号の受信周波数からバンドパスフィルタの中心周波数を予め定めた周波数だけ移動させるための周波数移動量を記憶したメモリを備え、目的信号受信時にメモリに記憶した周波数移動量を読み出して、目的信号の受信周波数から周波数移動量だけ離れた位置にバンドパスフィルタの中心周波数を設定する。この構成により無線受信装置は、イメージ妨害波を大きく減衰でき、良好な受信特性を得ることができる。【選択図】図３
2014232951.tif 000002
【特許請求の範囲】
【請求項１】
無線信号を受信するアンテナに接続されるアンテナ端子と、前記アンテナ端子に入力される目的信号を中間周波数に変換する周波数変換回路と、前記アンテナ端子と前記周波数変換回路との間に配置され、前記目的信号の上側又は下側周波数に存在する妨害波を除去するバンドパスフィルタと、を備えたスーパーヘテロダイン方式の無線受信装置において、
前記無線受信装置を制御する制御回路と、
前記目的信号の受信周波数毎に定められ、前記目的信号の受信周波数から前記バンドパスフィルタの中心周波数を予め定めた周波数だけ移動させるための周波数移動量を記憶したメモリと、をさらに備え、
前記制御回路は、前記目的信号の受信時に前記メモリを参照して前記目的信号の受信周波数から前記周波数移動量だけ離れた位置に前記バンドパスフィルタの中心周波数を設定することを特徴とする無線受信装置。
【請求項２】
前記バンドパスフィルタは電圧制御型のバンドパスフィルタであることを特徴とする請求項１に記載の無線受信装置。
【請求項３】
前記妨害波の一部は、イメージ妨害波であることを特徴とする請求項１又は請求項２に記載の無線受信装置。
【請求項４】
請求項１乃至請求項３のいずれか一項に記載の無線受信装置を備えたことを特徴とする無線通信機。
【請求項５】
無線信号を受信するアンテナに接続されるアンテナ端子に入力される目的信号を中間周波数に変換する周波数変換ステップと、前記目的信号の上側及び下側周波数に存在する妨害波をバンドパスフィルタによって除去するフィルタステップと、を備えたスーパーヘテロダイン方式の無線受信装置の無線受信方法において、
前記無線受信装置を制御する制御ステップと、
前記目的信号の受信周波数毎に定められ、前記目的信号の受信周波数から前記バンドパスフィルタの中心周波数を予め定めた周波数だけ移動させるための周波数移動量をメモリに記憶するステップと、をさらに備え、
前記制御ステップにおいて前記目的信号の受信時に前記メモリを参照して前記目的信号の受信周波数から前記周波数移動量だけ離れた位置に前記バンドパスフィルタの中心周波数を設定することを特徴とする無線受信装置の無線受信方法。
【発明の詳細な説明】
【技術分野】
【０００１】
本発明は、無線受信装置に関し、特にスーパーヘテロダイン方式のイメージ妨害波を除去する無線受信装置、このような無線受信装置を備えた無線通信機及び無線受信方法に関する。
【背景技術】
【０００２】
従来より、スーパーヘテロダイン方式の受信装置においては、目的信号の周波数の他にイメージ信号の周波数も、目的信号と同じ中間周波数帯に変換されることから、イメージ妨害波が発生し、受信特性の劣化の原因となる。通常、イメージ妨害波となる信号は中間周波数変換回路の前に設けられたバンドパスフィルタにより減衰させるが、その際に、バンドパスフィルタは目的信号の受信感度が最大となるように、バンドパスフィルタの中心周波数を目的信号と同じ周波数に同調させている。
【０００３】
このイメージ妨害波を減衰させる他の方法として、目的信号の周波数が入力された状態で、バンドパスフィルタの可変コンデンサの値を可変し、イメージ周波数がバンドパスフィルタの減衰極に含まれるように減衰極をシフトさせる方法がある（例えば、特許文献１参照）。その他の方法として、バンドパスフィルタを多段化してイメージ妨害波を減衰させる方法がある（例えば、特許文献２参照）。
【先行技術文献】
【特許文献】
【０００４】
【特許文献１】特開２０１２−０２８９１７号公報
【特許文献２】特開２００９−１５９１８１号公報
【発明の概要】
【発明が解決しようとする課題】
【０００５】
しかしながら、特許文献１に示される方法では、上述のようにイメージ周波数がバンドパスフィルタの減衰極に含まれるように、バンドパスフィルタの減衰極をシフトさせるが、このバンドパスフィルタは狭帯域の減衰極をもつ特殊なフィルタを必要とする。また、特許文献２に示される方法では、バンドパスフィルタを多段化することになるため回路規模の増加を招く。
【０００６】
本発明は、上記課題を解決するものであって、既存のバンドパスフィルタを使用し、回路規模の増加を招くことなく、受信特性に優れた無線受信装置、無線通信機及び無線受信方法を提供することを目的とする。
【課題を解決するための手段】
【０００７】
上記課題を解決するため、本発明は、無線信号を受信するアンテナに接続されるアンテナ端子と、前記アンテナ端子に入力される目的信号を中間周波数に変換する周波数変換回路と、前記アンテナ端子と前記周波数変換回路との間に配置され、前記目的信号の上側又は下側周波数に存在する妨害波を除去するバンドパスフィルタと、を備えたスーパーヘテロダイン方式の無線受信装置において、前記無線受信装置を制御する制御回路と、前記目的信号の受信周波数毎に定められ、前記目的信号の受信周波数から前記バンドパスフィルタの中心周波数を予め定めた周波数だけ移動させるための周波数移動量を記憶したメモリと、をさらに備え、前記制御回路は、前記目的信号の受信時に前記メモリを参照して前記目的信号の受信周波数から前記周波数移動量だけ離れた位置に前記バンドパスフィルタの中心周波数を設定する。
【０００８】
また、前記バンドパスフィルタは電圧制御型のバンドパスフィルタであることが望ましい。
【０００９】
また、前記妨害波の一部は、イメージ妨害波である。
【００１０】
また、本発明の無線通信機は、上述の無線受信装置を備える。
【００１１】
本発明は、無線信号を受信するアンテナに接続されるアンテナ端子に入力される目的信号を中間周波数に変換する周波数変換ステップと、前記目的信号の上側及び下側周波数に存在する妨害波をバンドパスフィルタによって除去するフィルタステップと、を備えたスーパーヘテロダイン方式の無線受信装置の無線受信方法において、前記無線受信装置を制御する制御ステップと、前記目的信号の受信周波数毎に定められ、前記目的信号の受信周波数から前記バンドパスフィルタの中心周波数を予め定めた周波数だけ移動させるための周波数移動量をメモリに記憶するステップと、をさらに備え、前記制御ステップにおいて前記目的信号の受信時に前記メモリを参照して前記目的信号の受信周波数から前記周波数移動量だけ離れた位置に前記バンドパスフィルタの中心周波数を設定する。
【発明の効果】
【００１２】
請求項１又は請求項５の発明によれば、目的信号に対するバンドパスフィルタの同調点を、目的信号の減衰量と比べてイメージ妨害波の減衰量が大きくなる位置に移動させることにより、イメージ妨害波を大きく減衰でき、良好な受信特性を得ることができる。
【００１３】
請求項２の発明によれば、バンドパスフィルタの中心周波数を電圧で制御することができる。
【００１４】
請求項３の発明によれば、無線受信装置はイメージ妨害波を減衰でき、良好な受信特性を得ることができる。
【００１５】
請求項４の発明によれば、相手方と交信を行うことができる。
【図面の簡単な説明】
【００１６】
【図１】本発明の第１の実施形態に係る無線受信装置の電気的ブロック構成図。
【図２】同無線受信装置のバンドパスフィルタの特性及びその中心周波数に対するチューニング電圧の関係を示した図。
【図３】同無線受信装置がアッパー・ヘテロダインを採用した場合のバンドパスフィルタの特性とイメージ妨害波との関係を示した図。
【図４】同無線受信装置がロワー・ヘテロダインを採用した場合のバンドパスフィルタの特性とイメージ妨害波との関係を示した図。
【図５】目的信号に同調した時と、バンドパスフィルタの中心周波数を同調点から移動させた時における、バンドパスフィルタの特性及びその中心周波数に対するチューニング電圧の関係を示した図。
【図６】第１の実施形態の変形例１に係る無線通信機の電気的ブロック構成図。
【図７】第１の実施形態の変形例２に係る無線受信装置の電気的ブロック構成図。
【発明を実施するための形態】
【００１７】
(第１の実施形態）
本発明の第１の実施形態に係る無線受信装置について、図１乃至図５を参照して説明する。図１において、無線受信装置１は、ＣＰＵで構成された制御回路２、メモリ３、各種操作情報を受け付ける操作部４、基準信号発生器５、ＰＬＬシンセサイザ（局部発振回路）６を備える。ＰＬＬシンセサイザ６は、位相比較器（ＰＣ）７、ループフィルタ（ＬＰＦ）８及び電圧制御発振器（ＶＣＯ）９により構成される。また、無線受信装置１は、アンテナ端子１０に接続されたアンテナ１１からの無線信号を増幅するＲＦ ＡＭＰ２１、バンドパスフィルタ２２、中間周波数信号を生成する受信ＭＩＸ回路２３、復調回路２４、ボリューム２５、増幅器（ＡＭＰ）２６、スピーカ（ＳＰ）２７をさらに備える。受信回路２０は、ＲＦ ＡＭＰ２１、バンドパスフィルタ２２、受信ＭＩＸ回路２３、復調回路２４より構成される。
【００１８】
無線信号である目的信号は、アンテナ１１で取得され、アンテナ端子１０を介して受信回路２０に入力される。受信回路２０では、目的信号がＲＦ ＡＭＰ２１で増幅され、バンドパスフィルタ２２で妨害波が除去される。このバンドパスフィルタ２２の妨害波の除去については、以下に詳しく説明する。妨害波が除去された目的信号は、ＰＬＬシンセサイザ６からの周波数変換信号に基づいて受信ＭＩＸ回路２３により、中間周波数に変換される。中間周波数に変換された目的信号は、復調回路２４で復調され、ボリューム２５でレベルが調整され、ＡＭＰ２６で増幅されてスピーカ２７から音声信号として出力される。
【００１９】
次に、バンドパスフィルタ２２と目的信号の同調周波数との関係について説明する。バンドパスフィルタ２２は、電圧制御型フィルタであり、電圧を変化させることによりバンドパスフィルタ２２は、その中心周波数を変更する。このバンドパスフィルタ２２の電圧制御は、制御回路２により成される。
【００２０】
図２において、上図の横軸は周波数、縦軸は目的信号のチューニングレベルとバンドパスフィルタ２２の減衰特性を示す。ｆ１（ＲＦ）とｆ２（ＲＦ）は受信する目的信号、２つの曲線はバンドパスフィルタ２２の中心周波数を目的信号であるｆ１（ＲＦ），ｆ２（ＲＦ）に同調したときのバンドパスフィルタ２２の減衰特性をそれぞれ示す。下図の横軸はバンドパスフィルタ２２の中心周波数の値、縦軸はバンドパスフィルタ２２のチューニング電圧をそれぞれ示す。チューニング電圧がＡ，Ｂのときに、バンドパスフィルタ２２の中心周波数が、目的信号ｆ１（ＲＦ）、ｆ２（ＲＦ）の周波数にそれぞれ一致していることを示している。
【００２１】
バンドパスフィルタ２２の中心周波数は、バンドパスフィルタ２２のチューニング電圧を変化させることによりリニアに移動する。従って、チューニング電圧を変化させて、バンドパスフィルタ２２の中心周波数を目的信号の周波数に同調させる。このようにして、従来より、バンドパスフィルタ２２は、目的信号の周波数にバンドパスフィルタ２２の中心周波数を一致させて、受信する目的信号の上側及び下側周波数に存在する妨害波を除去するように制御される。
【００２２】
ところで、スーパーヘテロダイン方式の無線受信装置１の場合、高周波の目的信号を中間周波数に変換する際に、イメージ周波数に妨害波が存在する場合、この妨害波は、目的信号と同時に中間周波数に変換される。図１において、例えば、アッパー・ヘテロダインで６７０ＭＨｚの目的信号ｆ１（ＲＦ）を受信ＭＩＸ回路２３で１３０ＭＨｚの中間周波数ｆ１（ＩＦ）に変換する場合、ＰＬＬシンセサイザ６からの周波数変換信号ｆ（ＬＯ）の周波数は８００ＭＨｚとなる。このとき、受信ＭＩＸ回路２３で、目的信号ｆ１（ＲＦ）と周波数変換信号ｆ（ＬＯ）とが掛け合わされて、
周波数変換信号ｆ（ＬＯ）−目的信号ｆ１（ＲＦ）と、
周波数変換信号ｆ（ＬＯ）＋目的信号ｆ１（ＲＦ）と、
の２種類の信号が受信ＭＩＸ回路２３から出力される。
周波数変換信号ｆ（ＬＯ）＋目的信号ｆ１（ＲＦ）の信号は、受信ＭＩＸ回路２３の後段に設けられた図示しない中間周波数フィルタによって除去され、周波数変換信号ｆ（ＬＯ）−目的信号ｆ１（ＲＦ）が中間周波数信号ｆ１（ＩＦ）として取り扱われる。
【００２３】
周波数変換して得られた１３０ＭＨｚの中間周波数信号ｆ１（ＩＦ）には、６７０ＭＨｚの目的信号ｆ１（ＲＦ）だけではなく、妨害波ｆ１△（ＲＦ）−周波数変換信号ｆ（ＬＯ）＝１３０ＭＨｚとなる信号、すなわち、周波数変換信号ｆ（ＬＯ）の上側周波数（イメージ周波数）に存在する妨害波ｆ１△（ＲＦ）が中間周波数信号に変換される。
【００２４】
したがって、この周波数帯に実際に妨害波が存在する場合は、この妨害波が目的信号と同時に中間周波数に変換されることになり、受信性能の劣化を及ぼす。そのため、このイメージ周波数に存在する妨害波は、効率的に除去されなければならない。
【００２５】
本実施形態では、この中間周波数に変換されるイメージ妨害波を効率的に除去して、良好な受信特性を有する無線受信装置１及び無線受信方法を以下に示す。無線受信装置１は、アッパー・ヘテロダインを採用するものとして説明する。図３において、横軸は周波数、縦軸は目的信号のチューニングレベルとバンドパスフィルタ２２の減衰特性を示す。目的信号ｆ１（ＲＦ）及びイメージ妨害波ｆ１△（ＲＦ）と、目的信号ｆ１（ＲＦ）の受信レベルＡ，Ａ‘が、それぞれを示されている。
【００２６】
実線の曲線は、バンドパスフィルタ２２の中心周波数を目的信号ｆ１（ＲＦ）に同調させたときのバンドパスフィルタ２２の減衰特性を示す。破線の曲線は、目的信号ｆ１（ＲＦ）からＸ１周波数量だけバンドパスフィルタ２２の中心周波数を低周波側に移動させたときのバンドパスフィルタ２２の減衰特性をそれぞれ示す。
【００２７】
ｈ１は、バンドパスフィルタ２２の中心周波数を目的信号ｆ１（ＲＦ）に同調させたときに対して、バンドパスフィルタ２２の中心周波数を目的信号ｆ１（ＲＦ）からＸ１周波数量移動させた場合の目的信号ｆ１（ＲＦ）の減衰量を示す。また、Ｈ１は、同様にその場合のイメージ妨害波ｆ１△（ＲＦ）の減衰量示す。図３から明らかなように、バンドパスフィルタ２２の中心周波数を目的信号ｆ１（ＲＦ）からＸ１周波数量だけ低周波側に移動させても、目的信号ｆ１（ＲＦ）の受信レベルはほとんど低下しないが、イメージ妨害波ｆ１△（ＲＦ）は大きく減衰する。
【００２８】
次に、無線受信装置１がロワー・ヘテロダインを採用する場合について説明する。図４において、横軸は周波数、縦軸は目的信号のチューニングレベルとバンドパスフィルタ２２の減衰特性を示す。目的信号ｆ３（ＲＦ）及びイメージ妨害波ｆ３△（ＲＦ）と、目的信号ｆ３（ＲＦ）の受信レベルＡ、Ａ‘’がそれぞれ示されている。
【００２９】
実線の曲線はバンドパスフィルタ２２の中心周波数を目的信号ｆ３（ＲＦ）に同調させたときのバンドパスフィルタ２２の減衰特性を示す。破線の曲線は目的信号ｆ３（ＲＦ）からＸ３周波数量だけバンドパスフィルタ２２の中心周波数を高周波数側に移動させたときのバンドパスフィルタ２２の減衰特性をそれぞれ示す。
【００３０】
ｈ３は、バンドパスフィルタ２２の中心周波数を目的信号ｆ３（ＲＦ）に同調させたときに対して、バンドパスフィルタ２２の中心周波数を目的信号ｆ３（ＲＦ）からＸ３周波数量だけ移動させた場合の目的信号ｆ３（ＲＦ）の減衰量を示す。また、Ｈ３は、同様にその場合のイメージ妨害波ｆ３△（ＲＦ）の減衰量示す。図４からも明らかなように、バンドパスフィルタ２２の中心周波数を目的信号ｆ３（ＲＦ）からＸ３周波数量だけ高周波数側に移動させても、アッパー・ヘテロダインと同様に、目的信号ｆ３（ＲＦ）の受信レベルはほとんど低下しないが、イメージ妨害波は大きく減衰する。
【００３１】
イメージ妨害波は、
アッパー・ヘテロダインでは、目的信号ｆ１（ＲＦ）の高周波数側で、
イメージ妨害波ｆ１（△）＝周波数変換信号ｆ（ＬＯ）＋中間周波数ｆ１（ＩＦ）
＝目的信号ｆ１（ＲＦ）＋２×中間周波数ｆ１（ＩＦ）
ロワー・ヘテロダインでは、目的信号ｆ３（ＲＦ）の低周波数側で、
イメージ妨害波ｆ３（△）＝周波数変換信号ｆ（ＬＯ）−中間周波数ｆ３（ＩＦ）
＝目的信号ｆ３（ＲＦ）−２×中間周波数ｆ３（ＩＦ）
として、イメージ妨害波が存在する周波数位置が計算上求まる。
【００３２】
しかし、妨害波を除去するためにバンドパスフィルタ２２の中心周波数を目的信号からどれくらい移動させるかは、使用する受信機器や実際に存在する妨害波の存在に影響を受けるため、計算上求めて設定するだけではなく、所定周波数毎に検証して決定する。具体的には、例えば、バンドパスフィルタ２２の減衰が−３ｄＢ低下しない範囲、すなわち、バンドパスフィルタ２２の減衰が−３ｄＢになる位置が、目的信号から±１０ＭＨｚの範囲であれば、それより狭い周波数の範囲でバンドパスフィルタ２２の中心周波数の移動量を決定する。この周波数移動量の決定は、実験等を行って検証して、目的信号の周波数毎に関連づけて検証した周波数移動量を無線受信装置１のメモリ３に記録する。
【００３３】
次に、上述の方法等で求めた、バンドパスフィルタ２２の周波数移動量を使用して目的信号を受信する場合について、アッパー・ヘテロダインを採用した無線受信装置１の受信動作を例にし、図５を参照して説明する。図５において、上図の横軸は周波数、縦軸は目的信号のチューニングレベルとバンドパスフィルタ２２の減衰特性を示す。ｆ１（ＲＦ）、ｆ２（ＲＦ）は目的信号の受信周波数を示す。また、実線の曲線は、目的信号ｆ１（ＲＦ）、ｆ２（ＲＦ）にバンドパスフィルタ２２の中心周波数を同調させたときのバンドパスフィルタ２２の減衰特性を示す。破線の曲線は、目的信号からバンドパスフィルタ２２の中心周波数をそれぞれＸ１，Ｘ２周波数量だけ移動させたときのバンドパスフィルタ２２の減衰特性を示す。
【００３４】
下図の横軸はバンドパスフィルタ２２の中心周波数の値、縦軸はバンドパスフィルタ２２のチューニング電圧をそれぞれ示す。Ａ，Ｂは、バンドパスフィルタ２２の中心周波数を目的信号ｆ１（ＲＦ）、ｆ２（ＲＦ）にそれぞれ同調させたときのバンドパスフィルタ２２のチューニング電圧を示す。Ａ‘，Ｂ’は、バンドパスフィルタ２２の中心周波数を目的信号ｆ１（ＲＦ），ｆ２（ＲＦ）からそれぞれＸ１，Ｘ２周波数量だけ移動させたときのバンドパスフィルタ２２のチューニング電圧を示す。
【００３５】
操作者が図１に示す無線受信装置１の操作部４を操作して、目的信号ｆ１（ＲＦ）を受信しようとするとき、制御回路２は、図５に示すように、まず、バンドパスフィルタ２２の中心周波数をこの目的信号ｆ１（ＲＦ）に同調させる。このときに、実際に操作者が操作部４に対して行う操作は、受信したい目的信号ｆ１（ＲＦ）の受信周波数を操作部４に設けられている図示しない数字キーで直接入力するか、又は、操作部４に設けられている図示しないロータリーエンコーダなどの回転操作により受信周波数を入力する。これらの操作によって目的信号ｆ１（ＲＦ）が同調された後、制御回路２は、目的信号ｆ１（ＲＦ）の周波数に関連付けたバンドパスフィルタ２２の周波数移動量Ｘ１をメモリ３から読み出して、バンドパスフィルタ２２のチューニング電圧をＡからＡ‘に変更する。バンドパスフィルタ２２の中心周波数は、目的信号ｆ１（ＲＦ）の周波数からＸ１だけ離れた位置に設定される。
【００３６】
また、目的信号ｆ２（ＲＦ）を受信しようとするとき、同様に、制御回路２は、バンドパスフィルタ２２の中心周波数をこの目的信号ｆ２（ＲＦ）に同調させる。さらに、制御回路２は、メモリ３から目的信号ｆ２（ＲＦ）の周波数に関連付けたバンドパスフィルタ２２の周波数移動量Ｘ２を読み出して、バンドパスフィルタ２２のチューニング電圧をＢからＢ‘に変更する。バンドパスフィルタ２２の中心周波数は、目的信号ｆ２（ＲＦ）の周波数からＸ２だけ離れた位置に設定される。
【００３７】
このように、目的信号ｆ１（ＲＦ）、ｆ２（ＲＦ）をそれぞれ受信する際に、制御回路２は、最初に、バンドパスフィルタ２２の中心周波数を目的信号ｆ１（ＲＦ）、ｆ２（ＲＦ）に同調させ、さらに目的信号ｆ１（ＲＦ）、ｆ２（ＲＦ）の周波数にそれぞれ関連付けられてメモリ３に記憶された周波数移動量Ｘ１，Ｘ２を読み出して、目的信号ｆ１（ＲＦ）、ｆ２（ＲＦ）の周波数からＸ１，Ｘ２だけ離れた位置にバンドパスフィルタ２２の中心周波数をそれぞれ設定する。これより、無線受信装置１は、目的信号の受信レベルをほとんど低下させないで、イメージ妨害波のレベルを大きく減衰させて、良好な受信特性を得ることができる。
【００３８】
また、バンドパスフィルタ２２は、一般的に用いられるバンドパスフィルタであるため、本実施形態を実施する際に別個高価なフィルタを必要とせず、回路規模の増加を招くこともない。また、バンドパスフィルタ２２の中心周波数を目的信号から移動する際に、最初に、バンドパスフィルタ２２の中心周波数を目的信号に同調させてから行ったが、同調させずに直接バンドパスフィルタ２２の中心周波数を目的信号から離れた位置に設定してもよい。
【００３９】
上述は、イメージ妨害波を減衰させて、優れた受信特性を得ることを目的とした無線受信装置１について説明したが、イメージ妨害波の除去だけではなく、本実施形態の無線受信装置１は、強電界の妨害波を除去する場合にも使用可能である。例えば、放送電波や中継局等の強電界の妨害波が、目的信号の上側周波数又は下側周波数に存在することが予め判明している場合は、本実施形態で示したように、バンドパスフィルタ２２の中心周波数を予めメモリ３に記憶された周波数移動量だけ目的信号の周波数から離れた位置に設定する。これにより、強電界の妨害波はバンドパスフィルタ２２によって減衰され、強電界の妨害波が受信ＭＩＸ回路２３に伝達されることなく、無線受信装置１は目的信号を受信することができる。
【００４０】
(第１の実施形態の変形例１）
第１の実施形態の変形例１に係る無線通信機について、図６を参照して説明する。この無線通信機３０は、上述の無線受信装置１に送信回路３１をさらに備えている。この無線通信機３０の構成について簡単に説明する。なお、上述の無線受信装置１と同じ部分については、同一の符号を付してその説明を省略する。
【００４１】
図６において、無線通信機３０は、アンテナ１１に送信信号を出力する送信回路３１、送／受切換スイッチ１２及びアンテナ切換スイッチ１３を備える。送／受切換スイッチ１２は、ＰＬＬシンセサイザ６から出力される信号を、受信時に受信回路２０の側へ切換え、送信時に送信回路３１の側へ切換える。アンテナ切換スイッチ１３は、受信時にアンテナ１１に接続されたアンテナ端子１０を受信回路２０の側に接続し、送信時にアンテナ端子１０を送信回路３１の側に接続する。
【００４２】
本変形例１に係る無線通信機３０は、上述の無線受信装置１に送信回路３１をさらに備えるため、単に目的信号を受信するだけではなく、操作者の音声信号等を無線で送信することができるため、相手方と交信することも可能である。
【００４３】
(第１の実施形態の変形例２）
第１の実施形態の変形例２に係る無線受信装置について、図７を参照して説明する。第１の実施形態に係る無線受信装置１と変形例２に係る無線受信装置４０との違いは、無線受信装置１では、バンドパスフィルタ２２は、ＲＦ ＡＭＰ２１と受信ＭＩＸ回路２３との間に設けられていたが、無線受信装置４０では、バンドパスフィルタ４１が、さらに、ＲＦ ＡＭＰ２１の前段に設けられている。この無線受信装置４０について簡単に説明する。なお、上述の無線受信装置１と同じ部分については、同一の符号を付してその説明を省略する。
【００４４】
無線受信装置４０は、イメージ妨害波の除去以外に、強電界の妨害波の除去に対応した無線受信装置である。妨害波はもともと不要な信号であり、ＲＦ ＡＭＰ２１で扱える受信信号のレベルは限られているため、強電界の妨害波がＲＦ ＡＭＰ２１で増幅されると、本来必要とする目的信号の増幅が阻害される場合がある。そのため、強電界の妨害波の除去が要求されるこのような無線受信装置４０又はこの無線受信装置４０を備える無線通信機は、バンドパスフィルタ４１をＲＦ ＡＭＰ２１の前段に設けて、強電界の妨害波をＲＦ ＡＭＰ２１で増幅する前に除去する。さらに、第１の実施形態で説明したように、ＲＦ ＡＭＰ２１と受信ＭＩＸ回路２３との間に設けられているバンドパスフィルタ２２により、イメージ妨害波も減衰されて、無線受信装置４０は良好な受信特性を得ることができる。
【００４５】
バンドパスフィルタ４１及びバンドパスフィルタ２２は、第１の実施形態で説明したのと同様に制御回路２により制御され、その制御方法も第１の実施形態と同様である。すなわち、無線受信装置１の制御回路２がバンドパスフィルタ２２に対して行う制御を、無線受信装置４０では、制御回路２がバンドパスフィルタ２２とバンドパスフィルタ４１との両方に対して同様の制御を行い、強電界の妨害波とイメージ妨害波の２種類の妨害波を同時に除去する。
【００４６】
以上のように、無線受信装置４０は、バンドパスフィルタ４１をＲＦ ＡＭＰ２１の前段に設けているため、強電界の妨害波を除去することができ、さらに、バンドパスフィルタ２２をＲＦ ＡＭＰ２１と受信ＭＩＸ回路２３との間に設けているため、イメージ妨害波も除去することができる。このことにより、無線受信装置４０は、より優れた受信特性を有する。
【符号の説明】
【００４７】
１，４０  無線受信装置
２  制御回路
３  メモリ
１０  アンテナ端子
１１  アンテナ
２２  バンドパスフィルタ
２３  受信ＭＩＸ回路（周波数変換回路）
３０  無線通信機
Ｘ１、Ｘ２，Ｘ３  周波数移動量
【図１】
2014232951.tif 000003
【図２】
2014232951.tif 000004
【図３】
2014232951.tif 000005
【図４】
2014232951.tif 000006
【図５】
2014232951.tif 000007
【図６】
2014232951.tif 000008
【図７】
2014232951.tif 000009